(57)【要約】  【課題】車室内の広々感を得る状態と外界認知性を向上させることのできる状態とを切換え可能とする。  【解決手段】運転席側のピラートリム２０（フロントピラー１０の車室内に臨む内面）が、明色と暗色との間で色が変更可能とされて、ピラートリム２０の色が変更制御される。ピラートリム２０を明色とすることにより広々感を得るのに好ましい状態となり、暗色とすることにより、外界認知性向上の上で好ましい状態となる。ピラートリム２０の色は、通常は明色としつつ、例えばカーブを走行しているとき等の運転負荷が大きいときに暗色へ切換えるのが好ましい。【選択図】  図２
2016068735.tif 000002
【特許請求の範囲】
【請求項１】
運転席側のフロントピラーの車室内に臨む内面が、明色と暗色との間で色が変更可能とされ、
前記フロントピラーの内面の色を変更制御する制御手段を有している、
ことを特徴とする車両の視界調整装置。
【請求項２】
請求項１において、
運転者の運転負荷が大きいことを判定する運転負荷判定手段を備え、
前記制御手段は、前記フロントピラーの内面の色を、通常は明色となるように制御する一方、前記運転負荷判定手段で運転負荷が大きいと判定されたときには暗色となるように制御する、
ことを特徴とする車両の視界調整装置。
【請求項３】
請求項２において、
前記運転負荷判定手段は、旋回時に運転負荷が大きいと判定する、ことを特徴とする車両の視界調整装置。
【請求項４】
請求項１ないし請求項３のいずれか１項において、
前記フロントピラーの内面の色を明色にするか暗色にするかをマニュアル選択するためのマニュアルスイッチを備え、
前記制御手段は、前記フロントピラーの内面の色を、前記マニュアルスイッチにより選択された色となるように制御する、
ことを特徴とする車両の視界調整装置。
【請求項５】
請求項１ないし請求項４のいずれか１項において、
前記フロントピラーのうち車室内側に臨む面がトリム材によって構成され、
前記トリム材が、明色と暗色との間で色変更可能とされている、
ことを特徴とする車両の視界調整装置。
【請求項６】
請求項５において、
前記トリム材が、透明または半透明で光を透過するように形成され、
前記トリム材の背面に、明色と暗色との間で色変更可能な電気式表示膜が配設されている、
ことを特徴とする車両の視界調整装置。
【請求項７】
請求項５において、
前記トリム材の内面が、明色と暗色との間で色変更可能な電気式表示膜によって覆われている、ことを特徴とする車両の視界調整装置。
【請求項８】
請求項１ないし請求項４のいずれか１項において、
前記フロントピラーの内面が、該フロントピラーの近傍に設けられた照明源からの照明により明色と暗色との間で色変更可能とされている、ことを特徴とする車両の視界調整装置。
【請求項９】
請求項１ないし請求項７のいずれか１項において、
フロントウインドガラスを車幅方向から挟むように配設された左右一対のフロントピラーのうち、前記色変更可能なフロントピラーが運転席側のフロントピラーのみとされている、
ことを特徴とする車両の視界調整装置。
【発明の詳細な説明】
【技術分野】
【０００１】
本発明は、車両の視界調整装置に関するものである。
【背景技術】
【０００２】
自動車においては、フロントウインドガラスの左右端部にそれぞれフロントピラーが配設された構造となっている。このフロントピラーは、上方に向かうにつれて徐々に後方に位置するように、かつ徐々に車幅方向内方側に位置するように傾斜設定されているのが一般的である。
【０００３】
左右一対のフロントピラーのうち、特に運転席側側のフロントピラーは、運転者にとって外界を目視する際の障害物となって、死角を生じることになる。特許文献１には、フロントピラーを極力細くして、死角を小さくすることが開示されている。
【先行技術文献】
【特許文献】
【０００４】
【特許文献１】特開２００６−１８２０９２号公報
【発明の概要】
【発明が解決しようとする課題】
【０００５】
ところで、運転者は、フロントウインドガラスを通して前方を注視する場合のみならず、運転席側のフロントピラーよりも外側の斜め前方を目視しようとする状態（サイドウインドガラスを通して目視する状態）が応々にして生じるものとなる。この斜め前方を目視する状態は、例えば運転席側に向けて曲がる旋回時等においてよくみられるものである。この斜め前方を目視したときは、フロントウインドガラスを通して知覚される内側の外界と、サイドウインドガラスを通して知覚される外界との間にフロントピラーが位置されることになる。
【０００６】
上述のように、斜め前方を目視しようとしたときは、運転者の視界中にフロントピラーが入り込むことになり、この視界に入るフロントピラーの存在によって、死角が生じるのみならず、死角でない領域を目視したときの外界の認知性そのものが阻害されることが応々にして生じる。特に、運転者の視界中には、外界（景色）とフロントピラーとが混在することから、フロントピラー部分と外界との識別性が悪化しやすいものとなる。
【０００７】
とりわけ、最近では、車体内装色として、広々感（開放感）向上等のために、白色系やベージュ系等の明色（明るい色）が採用されることが多いが、これに伴ってフロントピラーの車室内に臨む内面の色も明色とされることが多い。このように、フロントピラーの内面が明色とされたときは、斜め前方を目視する運転者は、フロントピラーの少なくとも一部（特にその車幅方向両端部）があたかも外界そのものであるかのように知覚することとなって（フロントピラーの少なくとも一部があたかも外界中に溶け込んでいるかのように知覚することとなって）、外界の認知性向上の上では好ましくないものとなる。
【０００８】
本発明は以上のような事情を勘案してなされたもので、車室内の広々感を得る状態と外界認知性を向上させることのできる状態とを切換えることのできるようにした車両の視界調整装置を提供することにある。
【課題を解決するための手段】
【０００９】
前記目的を達成するため、本発明にあっては基本的に、フロントピラーが視界に入った状態での外界認知性が、運転者の視界に入るフロントピラーの色によって大きく相違するという実験結果に基づくものである。すなわち、フロントピラーの内面の色を広々感を得るのには好ましい明色とした場合よりも広々感を得るには好ましくないとされる暗色とした場合の方が、フロントピラーが視界に入ったときに外界との識別性を十分高められるという知見に基づいて、フロントピラーの内面の色を、明色と暗色との間で変更制御するようにしてある。
【００１０】
具体的には、本発明にあっては、次のような解決手法を採択してある。すなわち、請求項１に記載のように、
運転席側のフロントピラーの車室内に臨む内面が、明色と暗色との間で色が変更可能とされ、
前記フロントピラーの内面の色を変更制御する制御手段を有している、
ようにしてある。上記解決手法によれば、フロントピラーの内面の色を、広々感を得るのに好ましい明色と、外界認知性向上の上で好ましい暗色との間で変更制御することにより、広々感を得る状態と外界認知性を向上できる状態とを切換えることができる。
【００１１】
上記解決手法を前提とした好ましい態様は、特許請求の範囲における請求項２以下に記載のとおりである。すなわち、
運転者の運転負荷が大きいことを判定する運転負荷判定手段を備え、
前記制御手段は、前記フロントピラーの内面の色を、通常は明色となるように制御する一方、前記運転負荷判定手段で運転負荷が大きいと判定されたときには暗色となるように制御する、
ようにしてある（請求項２対応）。この場合、運転負荷が大きいときは、外界認知性を向上させて、運転負荷を低減する上で好ましいものとなる。
【００１２】
前記運転負荷判定手段は、旋回時に運転負荷が大きいと判定する、ようにしてある（請求項３対応）。この場合、フロントピラーを挟んでその外側と内側との両方の視界が入る状態での外界認知性を高めて、運転者の負担を低減する上で好ましいものとなる。
【００１３】
前記フロントピラーの内面の色を明色にするか暗色にするかをマニュアル選択するためのマニュアルスイッチを備え、
前記制御手段は、前記フロントピラーの内面の色を、前記マニュアルスイッチにより選択された色となるように制御する、
ようにしてある（請求項４対応）。この場合、運転者の好みによって、広々感を優先した状態と外界認知性を優先した状態とを任意に選択することができる。
【００１４】
前記フロントピラーのうち車室内側に臨む面がトリム材によって構成され、
前記トリム材が、明色と暗色との間で色変更可能とされている、
ようにしてある（請求項５対応）。この場合、フロントピラーの実質的な車室内側の面（内面）を構成するトリム材を利用して、色変更することができる。
【００１５】
前記トリム材が、透明または半透明で光を透過するように形成され、
前記トリム材の背面に、明色と暗色との間で色変更可能な電気式表示膜が配設されている、
ようにしてある（請求項５対応）。この場合、電気式表示膜を利用して、色変更することができる。また、電気式表示膜がトリム材によって車室内側から覆われることになるので、電気式表示膜の保護等の上でも好ましいものとなる。
【００１６】
前記トリム材の内面が、明色と暗色との間で色変更可能な電気式表示膜によって覆われている、ようにしてある（請求項６対応）。この場合、電気式表示膜が直接的に車室内に臨むことにより、トリム材の材質等の影響を受けることなく色変更することができる。
【００１７】
前記フロントピラーの内面が、該フロントピラーの近傍に設けられた照明源からの照明により明色と暗色との間で色変更可能とされている、ようにしてある（請求項７対応）。この場合、既存のフロントピラー構造を有効に利用して、色変更できるようにする等の上で好ましいものとなる。
【００１８】
フロントウインドガラスを車幅方向から挟むように配設された左右一対のフロントピラーのうち、前記色変更可能なフロントピラーが運転席側のフロントピラーのみとされている、ようにしてある（請求項８対応）。この場合、特に大きく運転者の視界に入って外界認知性を阻害しやすいのは、左右一対のフロントピラーのうち運転席側のフロントピラーなので、色変更を一方のフロントピラーのみとすることによって、構造の簡単化やコスト低減等の上で好ましいものとなる。
【発明の効果】
【００１９】
本発明によれば、車室内の広々感を得る状態と外界認知性を向上させることのできる状態とを切換えることができる。
【図面の簡単な説明】
【００２０】
【図１】本発明が適用された車両の前部を示す簡略側面図。
【図２】本発明が適用された車両を運転席側から見た図で、運転席側のフロントピラーが明色の場合を示す。
【図３】本発明が適用された車両を運転席側から見た図で、運転席側のフロントピラーが暗色の場合を示す。
【図４】運転席側のフロントピラーをそのトリム材と共に示す断面図。
【図５】ドライビングシミュレータにより右コーナを旋回しているときの様子を固視点および指標と共に示す図。
【図６】図５の状態から、指標が変化したときの様子を示す図。
【図７】フロントピラーの内面の色の相違による運転者の反応時間の相違を示す図。
【図８】フロントピラーの内面の色の相違による運転者の脳波の相違を示す図。
【図９】本発明の制御系統例を示すブロック図。
【図１０】本発明の制御例を示すフローチャート。
【図１１】外界認知性に関する実験を行うためのシミュレーション装置を示す図。
【図１２】脳波測定のための装着具を乗員の頭部に装着した状態を示す平面図。
【図１３】図１０の左側面図。
【発明を実施するための形態】
【００２１】
図１において、車両Ｖは、右ハンドル車とされて、運転席１に着座されている運転者が符号Ｊで示される。運転席１側から前方を目視した状態となる図２において、２はステアリングハンドル、３はフロントウインドガラス、４は右側（運転側）サイドドア、５は右側サイドドア４に設けられたサイドウインドガラス、６は右側ドアミラー、７はルーフ、８はインストルメントパネルである。フロントウインドガラス３とサイドウインドガラス５との間、つまりフロントウインドガラス３の右側側縁部が連なる位置において、右側のフロントピラー１０が位置されている。なお、図１、図２では、助手席側のフロントピラーは図示されていない。
【００２２】
フロントピラー１０の内面（車室内に臨む面）は、後述するように、明色と暗色との間で色変更可能となっており、図２は、明色とされている場合が示される。明色としては、白色系、ベージュ系、薄い青色系、薄緑色系等が考えられ、実施形態では白色系とされている。また、図３は、フロントピラー１０の内面が暗色とされている場合が示される。図３では、暗色を細かいドットでもって示してあるが、実際にはドットではなく全体的に均一な暗色とされる。暗色としては、黒色系、濃い灰色系等が考えられ、実施形態では黒色系とされる。
【００２３】
図４は、内面が色変更可能とされたフロントピラー１０の具体的な構造例が示される。この図４において、１１はピラーインナ、１２はピラーアウタ、１３はピラーレインである。ピラーインナ１１とピラーアウタ１２とにより閉断面構造が構成されると共に、ピラーレイン１３により補強されている。そして、ピラーインナ１１の車室内側面に、ピラーインナ１１を覆うようにしてピラートリム（トリム材）２０が配設されている。なお、図４中、３１はモール、３２はグラスランチャンネル、３３はドアサッシ、３４はウェザストリップ、３５は接着材である。
【００２４】
ピラートリム２０を含むフロントピラー１０は、上方に向かうにつれて、徐々に後方に位置されると共に車幅方向内方側に位置するように傾斜されている。すなわち、フロントピラー１０つまりピラートリム２０は、上方に向かうつれて、徐々に乗員Ｊ（の頭部）に接近する傾斜設定とされている。
【００２５】
ピラートリム２０は、合成樹脂によって透明あるいは半透明として形成されている。そして、ピラートリム２０の背面（車室内とは反対側となる面）には、当該背面に沿うようにして、色変更のための電気式表示膜２１が貼着されている。電気式表示膜２１に対する通電のために、ピラートリム２０とピラーインナ１１との間にコード２２が配設されて、このコード２２が、電気式表示膜２１の電極２１ａに接続されている。
【００２６】
上記電気式表示膜２１は、例えば市販の液晶フィルムを利用したものを用いるようにしてあり、入力される電気信号の切換えにより、少なくとも明色と暗色との間で色変更が可能となっている。ピラートリム２０が透明あるいは半透明とされて光を透過することができるので、電気式表示膜２１が明色とされると、ピラートリム２０（つまりフロントピラー１０）が明色として運転者から視認される。同様に、電気式表示膜２１が暗色とされると、ピラートリム２０（つまりフロントピラー１０）が暗色として運転者から視認される。
【００２７】
ピラートリム２０が明色とされたときは、車室内の広々感を得る上で好ましいものとなる。また、ピラートリム２０が暗色とされたときは、外界の認知性が高める上で好ましいものとなる。なお、明色の場合よりも暗色の方が外界認知性が高めるという点については、後に詳述する。
【００２８】
図５、図６は、フロントピラー１０（ピラートリム２０）の内面の色が明色された場合で、後述するドライビングシミュレータ（ドライビングシミュレータ）によって、右側に曲がるカーブ路を走行しているときに、運転者から見たときの外界の様子（景色）が示される。すなわち、右側に曲がるカーブ路の領域を示す右側の白線が符号５１で示され、左側の白線が符号５２で示される。なお、図示のカーブ路は、曲率半径３０ｍで、走行速度が７０ｋｍ／ｈのときに対応している。
【００２９】
図５は、後述するシミュレーション装置によって、フロントピラー１０付近でその左側に固視点α（実施形態では明色の十字形状）が常時表示され、フロントピラー付近でその右側に指標β（実施形態では暗色の十字形状）が表示された状態とされる。また、図６は、十字形状の指標βが、暗色の○形状の指標γに変化した状態が示される。後述するシミュレーション装置では、指標がβからγに切換わったことを運転者（被験者）が知覚したときに、アクセルペダルからブレーキペダルへとペダルを踏み換えさせて、このペダル踏み換えの反応時間とそのときの運転者の脳波とを検出するようにした。
【００３０】
運転者となる被験者Ａ〜Ｄに対して、ピラートリム２０の色（フロントピラー１０の内面の色）を明色とした場合についてそれぞれ、上述の指標βからγへ切換えたときのペダル踏み替えの反応時間をそれぞれ１００回に亘って測定した。この１００回の測定結果の平均値が、図７に示される。この図７から明かなように、ピラートリム２０の色が暗色の方が、反応時間が短くて外界認知性が向上される、ということが容易に理解される。
【００３１】
シミュレーション装置を利用した、上述のペダル踏み替えの前後での被験者Ａ〜Ｄのうちある被験者の脳波のデータ（頭頂部での脳波のデータ）の一例が図８に示される。図８では、時間０の時点が、指標βからγに切り替わった時点となる。この図８から明かなように、時間０の時点の直後では、ピラートリム２０の色が暗色（Ｂｌａｃｋ）の方が明色（Ｗｈｉｔｅ）の場合よりも、より早くかつ強く反応していることが理解される。つまり、運転者の外界認知性が、暗色の方が明色の場合よりも向上される、ということが脳波データからも裏付けられる。
【００３２】
図９は、ピラートリム２０の色を暗色と明色との間で切換えるための制御系統例が示される。この図９において、Ｕはマイクロコンピュータを利用して構成されたコントローラ（制御ユニット）である。このコントローラＵには、ナビゲーション装置Ｓ１からの情報（特に現在走行しているときの道路状況）、車速センサＳ２からの車速信号、舵角センサＳ３からのハンドル舵角信号が入力される。
【００３３】
また、コントローラＵには、運転者Ｊによりマニュアル操作されるマニュアルスイッチＳ４からの信号も入力される。マニュアルスイッチＳ４は、ピラートリム２０の色を明色とするのか暗色にするのかを選択するためのもので、任意の一方の色を選択するマニュアルモードの他に、自動的に色を選択するオートモードを選択できるようになっている。具体的には、マニュアルモードでもって明色を選択したときは、コントローラＵは、電気式表示膜２１が明色となるように制御する。マニュアルモードでもって暗色を選択したときは、コントローラＵは、電気式表示膜２１が暗色となるように制御する。
【００３４】
マニュアルスイッチＳ４によってオードモードを選択したときの色変更の制御例について、図１０のフローチャートを参照しつつ説明する。なお、以下の説明でＱはステップを示す。まず、Ｑ１において、各種センサＳ１〜Ｓ３からの信号が入力される。この後、Ｑ２において、現在昼間であるか否かが判別される。この昼間であるか否かは、例えば、ヘッドライトやスモールライトが点灯されているか否か等、従来既知の適宜の方法で判定することができる（図９では、ヘッドライト点灯の有無に関する信号は、コントローラＵへの入力信号として省略されている）。
【００３５】
Ｑ２の後、Ｑ３において、運転負荷が大きいか否かが判別される。このＱ３の判別は、例えば、曲率半径があらかじめ設定された所定値よりも小さいカーブ路を走行しているとき、特に、車速があらかじめ設定された所定値以上のときに、運転負荷が大きいと判断することができる。上記のようなカーブ路あるか否かは、ナビゲーション装置Ｓ１や現在の舵角等に基づいて判定することができる。運転負荷が大きいときとしては、この他、例えば横Ｇがあらかじめ設定された所定値（例えば０．３Ｇ以上）以上のときや、車速があらかじ設定された所定値（例えば８０ｋｍ／ｈ）以上のとき、等、適宜設定できる。
【００３６】
Ｑ３の判別でＹＥＳのときは、Ｑ４において、ピラートリム２０の色が暗色とされる。また、Ｑ２の判別でＮＯのとき、あるいはＱ３の判別でＮＯのときは、それぞれ、Ｑ５において、ピラートリム２０の色が明色とされる。なお、Ｑ２の判別は、昼間の方が、明色であるピラートリム２０が、明るい外界と識別しにくくなることを考慮したものである。
【００３７】
次に、図７、図８のデータ取得や、図５、図６に示す指標提示を行うシミュレーション装置の一例について。図１１以下を参照しつつ説明する。
【００３８】
まず、図１１において、ＤＳは、ドライビングシミュレータである。このドライビングシミュレータＤＳは、車両Ｖ（実施形態では実車を用いてある）の運転席の前方に配設されたスクリーン１０３と、スクリーン１０３に各種映像を投影するための投影手段としてのプロジェクタ１０４と、を有する。
【００３９】
図１２、図１３に示すように、被験者としての運転者Ｊには、多数の脳波センサ１０６が装備されたヘッドギアＨＧが装着される。脳波センサ１０６は、実施形態では合計１６個が分散配置されているが、脳波センサ１０６の個数はこれよりも多くても少なくてもよいものである（脳波センサ１０６の接続コードは図示略）。また、運転者Ｊに対してヘッドギアＨＧを装着した状態を側面から見たが図１３に示される。なお、図１３では、アイマークレコーダ１０８が、運転者Ｊの眼球の近傍に装着された状態が示される。
【００４０】
再び図１１において、ＤＵはマイクロコンピュータを利用して構成されたコントローラである。このコントローラＤＵには、道路情報記憶手段１１１、車両情報記憶手段１１２、走行情報記憶手段１１３、視標提示手段１０４が接続されている。また、ステアリングハンドル２やアクセルペダル、ブレーキペダル（両ペダルは図示略）の操作系の操作タイミングや操作量を検出する反応スイッチ（センサ）１１５が設けられ、またスクリーン１０３に表示される固視点αや指標βあるいはγの位置、表示開始タイミング、表示終了タイミングを検出する視標センサ１１６が設けられている。
【００４１】
コントローラＤＵに内蔵された記憶手段には、プロジェクタ１０４を介してスクリーン１０３に投影される前方風景等の各種表示のための情報を記憶している。コントローラＤＵに記憶される情報としては、特に道路に関する情報がある。上記道路に関する情報は、例えば、高速道路、ワインディングロード、市街路等に関して、直線路、曲線路（カーブ）を区別して記憶されており、また停止中の映像と、複数の各車速での映像とに区別して記憶されている。この記憶情報の中から選択された適宜の映像が、プロジェクタ１０４によってスクリーン１０３に投影（表示）される（この投影状況の一例が、図５、図６に示すものとなる）。このように、コントローラＤＵは、前方風景指令手段を有しているが、これらに関する記憶情報量が多いときは、別途ハードディスク等の大容量の記憶手段に記憶させて、コントローラＵはそこからの読出しによって前方風景等に関する情報をプロジェクタ４に出力するようにしてもよい。
【００４２】
計測機能を兼ねた道路情報記憶手段１１１によって、スクリーン１０３に対して投影された道路に関する情報が計測、記憶される。スクリーン１０３に投影された道路上を、運転者Ｊがステアリングハンドル２等を操作しつつ模擬的に走行操作を行っている際に、そのときの車両位置、車速、加速度、向き等の情報が、計測機能を兼ねた車両情報記憶手段１１２によって計測、記憶される。同様に、模擬的な走行操作を行っている際に、ステアリングハンドル２の操作量や操作タイミング、アクセルペダルおよびブレーキペダルの操作量や操作タイミング等が、計測機能を兼ねた走行情報記憶手段１１３に計測、記憶される。上記車両情報記憶手段１１２での記憶内容および反応スイッチ１１５からの信号が動作計測部１２０に入力されて、動作データとして互いに関連づけられた状態でもって、動作データ記憶手段１２１に記憶される。
【００４３】
視標提示手段１０４は、図５、図６に示すように、スクリーン１０３に対して固視点αの他に、適宜のタイミング等で視標βあるいはγを表示させる指令を行うもので、固視点αおよび視標β、γは、プロジェクタ１０４によってスクリーン１０３に表示される。視標提示手段１０４は、視標の表示開始タイミング、表示終了タイミング、表示位置、表示の色等も合わせて指令するものとなっている。そして、スクリーン１０３に投影された視標β、γは、視標センサ１１６によって、その表示開始タイミング、指示終了タイミング等を含めて、表示視標計測部１２２に出力されて、視標データ記憶手段１２３に記憶される。
【００４４】
動作データ処理部１２４によって、前記動作データ記憶手段１２１と視標データ記憶手段１２３との各記憶データに基づいて、視標βからγへの切換えられたときに行われるアクセルペダルからブレーキペダルへのペダル踏み替えに要する時間つまり反応時間が、動作データ記憶手段１２１に記憶されているデータと関連付けられた状態で処理され、この処理結果が反応時間記憶部１２５に記憶される。
【００４５】
前記脳波センサ１０６での検出結果が、脳波計測部１２６によって脳波として計測され、その計測結果が、脳波データ処理部１２７に記憶される。脳波データ処理部１２８によって、脳波データ記憶手段１２７の記憶内容と前記視標データ記憶手段１２３の記憶内容とに基づいて、視標β、γに関する情報と脳波データととが関連付けられる処理が行われ、この処理結果が脳波データ関連情報記憶部１２９に記憶される（少なくとも視標βからγへの切換直前からの脳電位の変化が記憶される）。勿論、各計測あるいは記憶されたデータは、視標βからγへの切換開始時点を基準として、互いに同期づけられたもの（時間的相関関係を有するもの）となっている。
【００４６】
上述したようなシミュレーションによって得られたデータが、図７、図８である。なお、図８では、多数の脳波センサ１０６から得られるデータのうち、もっとも重要となる頭頂部に配設された脳波センサ１０６によるデータとされている。
【００４７】
以上実施形態について説明したが、本発明は、実施形態に限定されるものではなく、特許請求の範囲の記載された範囲において適宜の変更が可能であり、例えば次のような場合をも含むものである。助手席側のフロントピラー１０は、例えば明色（あるいは暗色）の固定色とされているが、助手席側のフロントピラー１０についても、明色と暗色との間で色変更するようにしてもよい。
【００４８】
フロントピラー１０の内面の色を変更するには、例えば、ピラートリム２０の車室内側の面に電気式表示膜２１を配設することにより行ってもよく（この場合、電気式表示膜２１が車室内に臨むことになる）、あるいは、電気式表示膜２１をピラートリム２１内に埋設することにより行ってもよい（ピラートリムのうち、埋設された電気式表示膜２１よりも車室内側の部分を透明あるいは半透明としておけばよい）。ピラートリム２０の色を変更するには、例えばインストルメントパネル８に配設されると共にピラートリム２０に向けて照射される色変更可能な照明源４０（図２参照）による照明によって行う等、適宜の手法によって行うこともできる。
【００４９】
運転負荷が大きいときとしては、所定車速以上のとき、高速道路を走行しているとき、ワインディングロードを走行しているとき等の複数の条件のいずれか１つあるいは任意の複数の条件を満足したときとすることもできる。この他、運転者の疲労が大きいとき（例えばアイマークレコーダ１０８の検出値を利用した運転者の疲労状況の判定）を運転負荷が大きいときとして設定する等、運転負荷の大きさを判定する手法としては適宜のものを用いることができる。
【産業上の利用可能性】
【００５０】
本発明は、フロントピラーの内面の色を切換えることにより、広々感向上と外界認知性向上とを適宜得ることが可能となる。
【符号の説明】
【００５１】
１：運転席
２：ステアリングハンドル
３：フロントウインドガラス
４：サイドドア
５：サイドウインドガラス
６：ドアミラー
７：ルーフ
８：インストルメントパネル
１０：フロントピラー
２０：ピラートリム（トリム材）
２１：電気式表示膜（色変更用）
４０：照明源（色変更用）
【図１】
2016068735.tif 000003
【図２】
2016068735.tif 000004
【図３】
2016068735.tif 000005
【図４】
2016068735.tif 000006
【図５】
2016068735.tif 000007
【図６】
2016068735.tif 000008
【図７】
2016068735.tif 000009
【図８】
2016068735.tif 000010
【図９】
2016068735.tif 000011
【図１０】
2016068735.tif 000012
【図１１】
2016068735.tif 000013
【図１２】
2016068735.tif 000014
【図１３】
2016068735.tif 000015